(57)【要約】【課題】送風方向を変更可能な貫流式の送風機において、従来技術よりもケーシングの小型化を可能とする。【解決手段】ケーシング１内のファン２の周囲に、ファン２の内部に循環流Ｂ１を安定して形成するための第１ガイド部３と、ファン２から流出した空気をスムーズに送り出すための第２ガイド部４とを配置する。第１、第２ガイド部３、４は、ファン２に対して同軸状に配置されるとともに、ファン回転軸２１の位置を中心として回転可能に構成される。さらに、第１、第２ガイド部３、４は、空気流路を構成するケーシング１の壁と離れており、第１、第２ガイド部３、４が回転移動することによって、ファン２の送風方向が切り替えられるようにする。【選択図】図１
2015001225.tif 000002
【特許請求の範囲】
【請求項１】
空気流路を形成するケーシング（１）と、
前記ケーシング内に配置され、ファン回転軸（２１）を中心として回転する貫流式のファン（２）と、
前記ケーシング内の前記ファンの周囲に配置され、前記ファンの内部に循環流（Ｂ１、Ｂ２）を安定して形成するための第１ガイド部（３）と、
前記ケーシング内の前記ファンの周囲に配置され、前記ファンから流出した空気をスムーズに送り出すための第２ガイド部（４）とを備え、
前記第１、第２ガイド部は、前記ファンに対して同軸状に配置され、前記ファン回転軸の位置を中心として回転可能に構成されており、
前記第１、第２ガイド部は、前記空気流路を構成する壁と離れており、
前記第１、第２ガイド部が回転移動することによって、前記ファンの送風方向が切り替えられることを特徴とする送風機。
【請求項２】
前記第１、第２ガイド部は、一体構造であることを特徴とする請求項１に記載の送風機。
【請求項３】
前記第１、第２ガイド部は、前記ファン回転軸（２１）を支持するファン軸受け部（５）を有するとともに、前記ファン回転軸（２１）と同軸状に設けられた前記第１、第２ガイド部のガイド回転軸（６）を有し、
前記ケーシングは、前記ガイド回転軸を支持するガイド軸受け部（１３）を有し、
前記第１、第２ガイド部の回転を停止させるとともに、前記第１、第２ガイド部の停止位置を異なる位置に切り替える機構（６１、７、８）を備えることを特徴とする請求項１または２に記載の送風機。
【請求項４】
前記ケーシングは、前記ファンからの送風が可能な３つ以上の空気流路（Ｄ１〜Ｄ４）が、前記ファンの周囲に形成されており、
前記第１、第２ガイド部が回転移動することにより、前記ファンの送風方向を３方向以上で切り替え可能となっていることを特徴とする請求項１ないし３のいずれか１つに記載の送風機。
【発明の詳細な説明】
【技術分野】
【０００１】
本発明は、送風方向を変更可能な貫流式の送風機に関するものである。
【背景技術】
【０００２】
このような送風機が特許文献１に記載されている。この従来技術では、ファンの送風方向を正逆の２方向に変更するためのガイドとして、ファンに対称に配置された一対のスタビライザーと、各スタビライザーから開口部を隔てて配置された一対の固定リアガイドと、それらの開口部に対応する回転リアガイドとを採用している。これによれば、回転リアガイドを一対の固定リアガイドの一方に回転させ、一方の固定リアガイドと回転リアガイド分とが連続した状態となり、他方の固定リアガイドに開口部が生じることにより、送風方向を変更することができる。
【先行技術文献】
【特許文献】
【０００３】
【特許文献１】特開平３−２３３１９１号公報
【発明の概要】
【発明が解決しようとする課題】
【０００４】
しかし、上記した従来技術では、ファンを中心とした対称位置に、ファンの送風方向の数と同じ数の固定リアガイドを設ける必要がある。この固定リアガイドは、空気流路を構成する壁として機能するように、回転リアガイドに連続するとともに、回転リアガイドから送風方向に向かって長く延びた形状であった。このため、ケーシングが大きくなるという問題がある。
【０００５】
本発明は上記点に鑑みて、送風方向を変更可能な貫流式の送風機において、従来技術よりもケーシングの小型化を可能とすることを目的とする。
【課題を解決するための手段】
【０００６】
上記目的を達成するため、請求項１に記載の発明では、空気流路を形成するケーシング（１）と、ケーシング内に配置され、ファン回転軸（２１）を中心として回転する貫流式のファン（２）と、ケーシング内のファンの周囲に配置され、ファンの内部に循環流（Ｂ１、Ｂ２）を安定して形成するための第１ガイド部（３）と、ケーシング内のファンの周囲に配置され、ファンから流出した空気をスムーズに送り出すための第２ガイド部（４）とを備え、
第１、第２ガイド部は、ファンに対して同軸状に配置され、ファン回転軸の位置を中心として回転可能に構成されており、
第１、第２ガイド部は、空気流路を構成する壁と離れており、第１、第２ガイド部が回転移動することによって、ファンの送風方向が切り替えられることを特徴としている。
【０００７】
本発明は、送風方向の切り替えに必要なガイド部として、ファンの周囲を回転可能な第１、第２ガイド部を採用し、上記した従来技術における固定リアガイドのような第１、第２ガイド部に連続するガイド部のケーシングへの設置を不要とするものである。このため、本発明によれば、上記した従来技術よりもケーシングの小型化が可能である。
【０００８】
なお、この欄および特許請求の範囲で記載した各手段の括弧内の符号は、後述する実施形態に記載の具体的手段との対応関係を示す一例である。
【図面の簡単な説明】
【０００９】
【図１】第１実施形態における送風機のファン回転軸に垂直な断面図である。
【図２】第１実施形態における送風機のファン回転軸に垂直な断面図である。
【図３】図１中のケーシングの片側半分、ファン、第１、第２ガイド部の斜視図である。
【図４】第１実施形態における送風機のファン回転軸に平行な断面図である。
【図５】第１実施形態における送風機のケーシングの外壁を示す図であって、ガイド軸受け部およびストッパが設けられた部位の拡大図である。
【図６】第１実施形態における送風機のケーシングの外壁を示す図であって、ガイド軸受け部およびストッパが設けられた部位の拡大図である。
【図７】第２実施形態における送風機のファン回転軸に垂直な断面図である。
【図８】第２実施形態における送風機のファン回転軸に垂直な断面図である。
【図９】第３実施形態における送風機のファン回転軸に平行な断面図である。
【図１０】第４実施形態における送風機のファン回転軸に平行な断面図である。
【図１１】第５実施形態における送風機のファン回転軸に垂直な断面図である。
【図１２】第５実施形態における送風機のファン回転軸に垂直な断面図である。
【図１３】第５実施形態における送風機のファン回転軸に垂直な断面図である。
【発明を実施するための形態】
【００１０】
以下、本発明の実施形態について図に基づいて説明する。なお、以下の各実施形態相互において、互いに同一もしくは均等である部分には、同一符号を付して説明を行う。
【００１１】
（第１実施形態）
本実施形態の送風機は、例えば、車両天井置きの車両用空調装置に用いられるものである。図１〜３に示すように、送風機は、ケーシング１と、ファン２と、第１ガイド部３と、第２ガイド部４とを備えている。ケーシング１、ファン２、第１ガイド部３および第２ガイド部４は合成樹脂製である。
【００１２】
ケーシング１は、空気流路を形成するとともに、ファン２、第１ガイド部３および第２ガイド部４を内部に収容するものである。ケーシング１は、屈曲した屈曲部１１を有しており、屈曲部１１の内周壁１２近傍にファン２を収容している。
【００１３】
ファン２は、貫流式（クロスフロータイプ）のものである。ファン２は、図３に示すように、ファン回転軸２１を中心に回転する羽根車で構成されている。羽根車は、回転軸線の周りに配置された多数枚の翼２２を有している。羽根車の回転により、空気が羽根車内に流入し、羽根車内を貫流して、羽根車から流出する。ファン２は、ファン回転軸２１方向の幅が長く、径方向の幅が短い形状である。ファン２は、ケーシング１に設けられた図示しない電動モータによって回転駆動される。
【００１４】
第１、第２ガイド部３、４は、ファン２の周囲に配置されている。第１、第２ガイド部３、４は、羽根車の回転により、空気が羽根車内に流入し、羽根車内を貫流して、羽根車から流出させるためのものである。換言すると、第１、第２ガイド部３、４は、ファン２の送風方向を定めるのに必要なガイド部である。
【００１５】
第１ガイド部３は、一般的にスタビライザーと呼ばれる部分であり、図１、２に示されるように、ファン２の内部に循環流Ｂ１、Ｂ２を安定的に形成するためのものである。第１ガイド部３は、ファン２に近接している。本実施形態では、第１ガイド部３は断面Ｖ字形状であり、その先端部３１がファン２に近接している。
【００１６】
第２ガイド部４は、ファン２から流出する空気をスムーズに送り出すためのものである。第２ガイド部４は、ファン２の外周に沿って湾曲した形状であって、大部分がファン２の径方向での幅が均一な形状である。第２ガイド部４は、ファン２から無駄なく空気を送り出すように、ファン２の回転方向に向かってファン２との間隔が徐々に大きくなるように配置されている。第２ガイド部４は、ファン２を挟んだ第１ガイド部３の反対側に配置されている。なお、第２ガイド部４は、その大部分が第１ガイド部３の反対側に位置していれば良い。
【００１７】
第１、第２ガイド部３、４は、回転可能に構成されており、図１の停止位置と図２の停止位置との間を回転移動する。具体的には、図３に示すように、第１、第２ガイド部３、４は、回転軸方向端部に位置する円板形状の第１連結部３２および回転軸方向中央に位置するリング状の第２連結部３３によって連結された一体構造である。
【００１８】
図３、４に示すように、第１連結部３２には、ファン回転軸２１を支持するファン軸受け部５が設けられている。ファン軸受け部５は開口部を有し、この開口部にファン回転軸２１が挿入されている。また、第１連結部３２には、ファン回転軸２１と同軸状に配置された円筒状のガイド回転軸６が設けられている。ケーシング１には、ガイド回転軸６を支持するガイド軸受け部１３が設けられている。ガイド軸受け部１３は開口部を有し、この開口部にガイド回転軸６が挿入されている。
【００１９】
このように、本実施形態では、ガイド回転軸６が、ケーシング１のガイド軸受け部１３に回転可能に支持されることで、第１、第２ガイド部３、４が回転可能となっている。さらに、ファン回転軸２１がファン軸受け部５に回転可能に支持されることで、ファン２が回転する際に発生する回転トルクが第１、第２ガイド部３、４に伝達される構造となっている。
【００２０】
図５、６に示すように、ガイド回転軸６にはストッパピン６１が設けられ、ケーシング１にはストッパ７が設けられている。ストッパピン６１およびストッパ７は、第１、第２ガイド部３、４の回転を停止させるとともに、第１、第２ガイド部３、４の停止位置を切り替える機構である。
【００２１】
ストッパピン６１は、図３に示されるように、円筒状のガイド回転軸６の一部が軸方向に突出した突出部である。ストッパ７は、ストッパピン６１に当接して第１、第２ガイド部３、４の回転を停止させる第１、第２当接部７１、７２を有している。具体的には、ストッパ７はＣ字形状であり、Ｃ字形状の２つの先端部７１、７２が第１、第２当接部を構成している。
【００２２】
また、ストッパ７は、図５、６中の上下方向に移動可能となっている。例えば、金属製のストッパ７が用いられるとともに、ストッパ７の駆動源として、２つの電磁石７４、７５と、電源７６と、２つの電磁石７４、７５の一方と電源７６との接続を切り替えるスイッチ７７とが用いられる。スイッチ７７によって、２つの電磁石７４、７５の一方と電源７６との接続を切り替えることで、ストッパ７の一部７３が、図中上側の電磁石７４に引き寄せられたり、図中下側の電磁石７５に引き寄せられたりする。
【００２３】
図５に示すように、ストッパ７が上側位置のとき、第１当接部７１がストッパピン６１に当接することで、第１、第２ガイド部３、４が図１の停止位置となる。一方、図６に示すように、ストッパ７が下側位置のとき、第２当接部７２がストッパピン６１に当接することで、第１、第２ガイド部３、４が図２の停止位置となる。このように、本実施形態では、第１、第２ガイド部３、４の停止位置が図１、２の停止位置のいずれかに切り替え可能に構成されている。
【００２４】
次に、上記した構成の送風機の作動について説明する。
【００２５】
まず、図１の矢印Ａ１に示すように、ファン２の送風方向を右上方向とする場合、第１、第２ガイド部３、４の停止位置を図１の停止位置とする。これは、ストッパ７を図５の上側位置として、ファン２を回転させることで実現される。すなわち、ストッパピン６１が第１当接部７１に当接する図５の位置になければ、ファン２の回転トルクによって、第１、第２ガイド部３、４が回転する。そして、ストッパピン６１が第１当接部７１に当接することによって、第１、第２ガイド部３、４の回転が停止する。これにより、第１、第２ガイド部３、４が図１の停止位置となる。この結果、ファン２の左側から空気が流入し、ファン２の右上側へ空気が送り出される。
【００２６】
一方、図２の矢印Ａ２に示すように、ファン２の送風方向を左方向とする場合、第１、第２ガイド部３、４の停止位置を図２の停止位置とする。これは、ストッパ７を図６の下側位置として、ファン２を回転させることで実現される。すなわち、ストッパピン６１が第２当接部７２に当接する図６の位置になければ、ファン２の回転トルクによって、第１、第２ガイド部３、４が回転する。そして、ストッパピン６１が第２当接部７２に当接して、第１、第２ガイド部３、４の回転が停止する。これにより、第１、第２ガイド部３、４が図２の停止位置となる。この結果、ファン２の右上側から空気が流入し、ファンの左側へ空気が送り出される。
【００２７】
次に、本実施形態の主な特徴について説明する。
【００２８】
（１）本実施形態の送風機は、送風方向の切り替えに必要なガイド部として、ファン２の周囲を回転可能な第１、第２ガイド部３、４を採用している。この第１、第２ガイド部３、４は、ケーシング１の空気流路を構成する壁から離れて設けられるものである。このため、本実施形態では、上記した従来技術における固定リアガイドのような第１、第２ガイド部３、４に連続するガイド部をケーシング１へ設置していない。この理由は、第１、第２ガイド部３、４に連続するガイド部を設けなくても、ファン２の送風方向を定めることが可能だからである。
【００２９】
ここで、上記した従来技術では、ファンの送風方向の切り替えに必要なガイド部として、２つのスタビライザーと、２つの固定リアガイドと、回転リアガイドとを採用していた。上記した従来技術では、スタビライザーと固定リアガイドとを、ファンの送風方向と同じ数設置することが、ケーシングの体格が大きくなる原因であった。
【００３０】
これに対して、本実施形態では、第１、第２ガイド部３、４という一対のガイド部をケーシング１に設置している。このように、本実施形態によれば、スタビライザーと固定リアガイドとを、ファンの送風方向と同じ数設置する必要がないので、上記した従来技術よりもケーシング１の小型化が可能である。特に、本実施形態によれば、２つの固定リアガイドをケーシングに設ける必要がないことによるケーシング１の小型化の効果が大きい。
【００３１】
（２）第１、第２ガイド部３、４は、ファン２に対して同軸状に配置され、ファン回転軸２１の位置を中心として回転可能に構成されている。そして、ファン２の径方向におけるファン２の回転中心から第１、第２ガイド部３、４の最外周部までの距離が、ファン２の半径の２倍以下となるように、第１、第２ガイド部３、４がファン２の周囲に配置されている。このように、ファン２の回転中心から第１、第２ガイド部３、４の最外周部までの距離が短くなるように、第１、第２ガイド部３、４の形状および配置を設計することで、ケーシング１の小型化が可能である。
【００３２】
（３）上記した従来技術では、回転リアガイドの回転後に、回転リアガイドと固定リアガイドとが連続する必要があるが、回転リアガイドの停止位置がずれたりすると、回転リアガイドと固定リアガイドとの間に隙間が生じる等の合わせ不良が発生してしまう。また、回転リアガイドと固定リアガイドとの間の隙間を塞ぐためのシール構造が必要となってしまう。
【００３３】
これに対して、本実施形態では、第１、第２ガイド部３、４は、空気流路を構成するケーシング１の壁から離れており、このような壁と連続していない。このため、上記した合わせ不良の発生を回避でき、上記したシール構造が不要となる。
【００３４】
（４）上記した従来技術では、ファンに近接する２つのスタビライザーが、回転リアガイドに連続するように配置されているため、回転リアガイドの回転移動を妨害する位置にある。このため、これを回避するための機構、例えば、スタビライザーを回転移動させる機構が必要であった。
【００３５】
これに対して、本実施形態では、第１、第２ガイド部３、４は、空気流路を構成するケーシング１の壁から離れて配置されており、第１、第２ガイド部３、４の回転移動を妨害する部材が存在しないので、これを回避するための機構を設ける必要がない。
【００３６】
また、上記した従来技術では、ファンの送風方向の切り替えの手順として、スタビライザーを回転移動させる工程と、回転リアガイドを回転移動させる工程と、スタビライザーを元の位置に戻す工程とが必要であった。
【００３７】
これに対して、本実施形態では、第１、第２ガイド部３、４を回転移動させる工程を実施することで、送風方向の切り替えが可能であり、第１、第２ガイド部３、４の回転移動の前後に、第１、第２ガイド部３、４の回転移動を妨害する他の部材を移動させる工程が不要である。このため、本実施形態によれば、送風方向の切り替えを従来技術よりも容易に行うことができる。
【００３８】
（５）本実施形態と異なり、第１、第２ガイド部３、４が別体構造であり、第１、第２ガイド部３、４が個別に回転する構造の場合、ファン２の送風方向を正逆に切り替える際に、第１、第２ガイド部３、４の相対位置が維持されるように、第１、第２ガイド部３、４のそれぞれの停止位置を規定する必要がある。
【００３９】
これに対して、本実施形態では、第１、第２ガイド部３、４を一体構造としている。このため、第１、第２ガイド部３、４を、両者の相対位置が変わらずに回転させることができるので、第１、第２ガイド部３、４のそれぞれの停止位置を規定する必要がない。
【００４０】
（６）本実施形態では、第１、第２ガイド部３、４の第１連結部３２にファン軸受け部５を設け、ケーシング１にガイド軸受け部１３を設けている。このため、ファン２が回転する際に発生する回転トルクが第１、第２ガイド部３、４に伝達されることで、第１、第２ガイド部３、４が回転する。
【００４１】
さらに、本実施形態では、ファン２の送風の際では、ストッパピン６１をストッパ７に当てることにより、第１、第２ガイド部３、４の回転を停止させる。ファン２の送風方向の切り替えの際では、ストッパ７の位置を上側位置と下側位置とに切り換えることで、第１、第２ガイド部３、４の停止位置を切り換え可能としている。
【００４２】
これらにより、本実施形態によれば、第１、第２ガイド部３、４の位置を切り換えるために、第１、第２ガイド部３、４を回転駆動させる専用の駆動装置が不要となる。なお、本実施形態では、ストッパ７の駆動源が必要となるが、これは、第１、第２ガイド部３、４を回転駆動させる専用の駆動装置と比較して、必要な駆動力が小さく、体格を小さく抑えられる。よって、本実施形態によれば、専用の駆動装置を用いる場合と比較して、送風機全体の小型化が可能である。
【００４３】
（第２実施形態）
本実施形態は、第１実施形態に対して、第１、第２ガイド部３、４の回転を停止させるとともに、第１、第２ガイド部３、４の停止位置を切り替える機構を変更したものである。以下、第１実施形態と異なる点を説明する
図７、８に示すように、ケーシング１には、ストッパピン８が設けられている。ストッパピン８は、図７、８中の矢印のように、図中実線で示す第１位置と図中破線で示す第２位置とを移動可能な可動部材である。第１位置は、ストッパピン８の端部８ａがケーシング１の内壁からファン２に向かって突出する位置である。第２位置は、ストッパピン８の端部８ａがケーシング１の内壁から突出しない位置である。
【００４４】
一方、第１ガイド部３と第２ガイド部４には、それぞれ、ストッパピン８が第１位置に位置するときに、当接する第１当接部３４と第２当接部４４が設けられている。
【００４５】
そして、第１、第２ガイド部３、４の停止位置を図７の停止位置とする場合では、ストッパピン８を第１位置として、第２ガイド部４の第２当接部４４にストッパピン８を当接させる。第１、第２ガイド部３、４の停止位置を図７の停止位置から図８の停止位置に切り替える場合では、ストッパピン８を第２位置に変更した後、再び、第１位置に戻す。これにより、第１、第２ガイド部３、４が回転した後、ストッパピン８が第１ガイド部３の第１当接部３４に当接して、第１、第２ガイド部３、４が図８の停止位置で停止する。このようにして、第１、第２ガイド部３、４の停止位置を切り換えることも可能である。
【００４６】
（第３実施形態）
本実施形態は、第１実施形態に対して、第１、第２ガイド部３、４を別体構造に変更したものである。以下、第１実施形態と異なる点を説明する。
【００４７】
図９に示すように、第１、第２ガイド部３、４は別体であり、第１ガイド部３の軸方向端部の側壁３５と第２ガイド部４の軸方向端部の側壁４５とが対向している。第１、第２ガイド部３、４の側壁３５、４５の両方に、ファン回転軸２１を支持するファン軸受け部５１、５２が設けられている。ファン軸受け部５１、５２は開口部を有しており、両方の開口部にファン回転軸２１が挿入されている。また、第２ガイド部４の側壁４５には、第１実施形態と同様のガイド回転軸６が設けられている。ガイド回転軸６は、第１実施形態と同様に、ケーシング１のガイド軸受け部１３に支持されている。
【００４８】
これにより、本実施形態では、第１、第２ガイド部３、４が個別に回転可能となっている。また、第１実施形態と同様に、ファン２が回転する際に発生する回転トルクが第１、第２ガイド部３、４のそれぞれに伝達される構造となっている。
【００４９】
なお、本実施形態では、第１、第２ガイド部３、４のそれぞれに対して、図１、２の停止位置で停止させるとともに、停止位置を異なる位置に切り替える機構が必要となる。このような機構としては、例えば、第２実施形態のストッパピン８を、第１、第２ガイド部３、４のそれぞれに対して設けることができる。
【００５０】
このように、第１、第２ガイド部３、４を別体構造に変更しても、第１実施形態と同様の効果が得られる。
【００５１】
（第４実施形態）
本実施形態は、第１実施形態に対して、第１、第２ガイド部３、４の回転動力を変更したものである。以下、第１実施形態と異なる点を説明する。
【００５２】
図１０に示すように、本実施形態では、ケーシング１にファン回転軸２１を支持するファン軸受け部１４が形成されている。また、第１連結部３２には、ファン軸受け部１４が挿入可能な開口部３６が設けられている。第１、第２ガイド部３、４は、この開口部３６にファン軸受け部１４が挿入されることで、ケーシング１に回転可能に支持されている。
【００５３】
ところで、第２ガイド部４の表面に沿ってファン２からの送風が流れることで、第１、第２ガイド部３、４を回転させる力が生じる。そこで、本実施形態では、第１、第２ガイド部３、４を回転移動させる際に、ファン２からの送風によって生じる力を利用する。なお、図示しないが、本実施形態では、第１、第２ガイド部３、４がファン２からの送風を受けて回転しやすいように、突起等の抵抗部を設けることが好ましい。また、本実施形態では、例えば、第２実施形態の機構によって、第１、第２ガイド部３、４の停止位置を切り替えることができる。このように、第１、第２ガイド部３、４の回転動力を変更しても、第１実施形態と同様の効果が得られる。
【００５４】
（第５実施形態）
本実施形態は、第１実施形態に対して、ファン２の送風方向の数を変更したものである。以下、第１実施形態と異なる点を説明する。
【００５５】
本実施形態では、ケーシング１内部のファン２の周囲に、ファン２からの送風が可能な３つ以上の空気流路が形成されている。具体的には、図１１〜１３に示すように、ファンの周囲にファン２から放射状に延びるように４つの仕切壁１５、１６、１７、１８が設けられることによって、第１、第２、第３、第４空気流路Ｄ１、Ｄ２、Ｄ３、Ｄ４が形成されている。
【００５６】
また、本実施形態では、第１、第２ガイド部３、４の形状が第１実施形態と異なっている。第１ガイド部３は、断面形状が略三角形であり、頂部がファン２に近接している。第２ガイド部４は、ファン２に沿って湾曲した形状であって、ファン２の径方向での幅がファン２の回転方向に向かって徐々に小さくなる形状であり、ファン２の回転方向に向かってファン２との間隔が徐々に大きくなっている。なお、第１、第２ガイド部３、４の形状は、第１実施形態と同じであっても良い。
【００５７】
第１、第２ガイド部３、４は、図１１〜図１３に示す各停止位置に切り替え可能となっている。第１、第２ガイド部３、４が図１１に示す停止位置のとき、第１、第２空気流路Ｄ１、Ｄ２からファン２に空気が流入し、ファン２から第３、第４空気流路Ｄ３、Ｄ４へ空気が流出する。第１、第２ガイド部３、４が図１２に示す停止位置のとき、第４空気流路Ｄ４からファン２に空気が流入し、ファン２から第１、第２空気流路Ｄ１、Ｄ２へ空気が流出する。第１、第２ガイド部３、４が図１３に示す停止位置のとき、第２、３空気流路Ｄ２、Ｄ３からファン２に空気が流入し、ファン２から第４空気流路Ｄ４へ空気が流出する。
【００５８】
このように、本実施形態では、第１、第２ガイド部３、４の停止位置を３か所のいずれかに切り替えることで、ファン２からの送風方向を３方向に切り替えることができる。なお、空気流路の数と第１、第２ガイド部３、４の停止位置の数については任意に変更可能である。空気流路の数と第１、第２ガイド部３、４の停止位置の数をそれぞれ３以上とすることにより、ファン２の送風方向を３方向以上で切り替えることが可能である。
【００５９】
（他の実施形態）
本発明は上記した実施形態に限定されるものではなく、下記のように、特許請求の範囲に記載した範囲内において適宜変更が可能である。
【００６０】
（１）第１〜第４実施形態の第１、第２ガイド部３、４の形状を、第５実施形態の第１、第２ガイド部３、４の形状に変更しても良い。第１、第２ガイド部３、４の形状は、第１、第２ガイド部３、４がその機能を果たすことができる範囲内で任意に変更が可能である。
【００６１】
（２）第１、２、４、５実施形態では、第１、第２ガイド部３、４を連結する第１連結部３２を円板形状としたが、第１、第２ガイド部３、４の連結が可能であれば、第１連結部３２を他の形状としても良い。
【００６２】
（３）第１〜第４実施形態では、ケーシング１を屈曲した形状としたが、ケーシング１を直線形状としても良い。
【００６３】
（４）上記各実施形態では、第１、第２ガイド部３、４を回転駆動させるための専用の駆動装置を用いなかったが、専用の駆動装置を用いても良い。
【００６４】
（５）上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。
【符号の説明】
【００６５】
１      ケーシング
１３    ガイド軸受け部
２      ファン
２１    ファン回転軸
３      第１ガイド部
４      第２ガイド部
５      ファン軸受け部
６      ガイド回転軸
【図１】
2015001225.tif 000003
【図２】
2015001225.tif 000004
【図３】
2015001225.tif 000005
【図４】
2015001225.tif 000006
【図５】
2015001225.tif 000007
【図６】
2015001225.tif 000008
【図７】
2015001225.tif 000009
【図８】
2015001225.tif 000010
【図９】
2015001225.tif 000011
【図１０】
2015001225.tif 000012
【図１１】
2015001225.tif 000013
【図１２】
2015001225.tif 000014
【図１３】
2015001225.tif 000015